(57)【要約】【課題】栓刃差込口からの塵埃等の侵入を防止して、接触不良や短絡等の不具合の発生を回避する。【解決手段】接続器具６を垂下状態とし、テーブルタップのコンセントに、入力側プラグ４ｂを差し込むと、プラグ栓刃７ａ，８ａが、このコンセントの栓刃差込孔に差し込まれ、可動リブ１７の先端面がテーブルタップの上面に当接して、可動リブ１７は、圧縮ばね１８の付勢力に抗して上方に変位する。これによって、可動リブ１７の後端側に固定されたシャッタ部材１９は、ハウジング１６の内壁面に沿って移動して、シャッタ部材１９の栓刃差込孔２７ａ，２７ｂは、いずれも、それぞれ、栓刃差込孔１４，２３、栓刃差込孔１５，２４と、略完全に重なった位置で停止し、栓刃差込孔１４，１５及び栓刃差込孔２３，２４は開状態となり、サービスコンセント４ａは使用可能となる。【選択図】  図２
2005011550.tif 000002
【特許請求の範囲】
【請求項１】
商用交流供給用のメインコンセントに差し込まれ、商用交流の供給を受けるためのプラグと、商用交流電圧を所定のレベルの直流電圧に変換して出力するためのＡＣ−ＤＣ変換部と、前記プラグに電気的に接続され、外部電気機器に、前記メインコンセントを介して、前記商用交流を供給するためのサービスコンセントとを備えるアダプタであって、
前記プラグが、前記メインコンセントに差し込まれているときは、前記サービスコンセントのプラグ差込口を開状態に保つ一方、前記プラグが、前記メインコンセントから引き抜かれたときは、前記サービスコンセントのプラグ差込口を閉状態に切り替えるシャッタ機構を備えてなることを特徴とするサービスコンセント付きアダプタ。
【請求項２】
前記プラグ、前記ＡＣ−ＤＣ変換部及び前記サービスコンセントが格納され又は取り付けられた筐体を備え、
前記プラグは、少なくとも使用時に、その先端部が露出するように前記筐体に直に取り付けられていることを特徴とする請求項１記載のサービスコンセント付きアダプタ。
【請求項３】
前記プラグが前記メインコンセントに差し込まれたことを検出する差込検出手段と、前記差込検出手段によって前記プラグの前記メインコンセントへの差込みが検出されると、前記シャッタ機構を作動させて前記プラグ差込口を塞がせるシャッタ作動手段とを備えたことを特徴とする請求項２記載のサービスコンセント付きアダプタ。
【請求項４】
前記差込検出手段は、前記プラグを構成する複数の栓刃のうちの少なくとも１つの栓刃に取り付けられ前記栓刃の長さ方向に沿って変位可能な可動リブを有し、かつ、前記シャッタ作動手段は、一端が前記可動リブに固定されていると共に、他端は前記シャッタ機構に接続され、
前記メインコンセントの栓刃差込口に、前記可動リブが取り付けられた前記栓刃が挿入されると、前記可動リブが前記栓刃の挿入方向と逆向きに変位して、前記シャッタ作動手段を、前記シャッタ機構に前記サービスコンセントの前記栓刃差込口を塞がせるように変位させることを特徴とする請求項３記載のサービスコンセント付きアダプタ。
【請求項５】
前記シャッタ作動手段及び前記シャッタ機構は、一体的に成形された板状部材からなることを特徴とする請求項３又は４記載のサービスコンセント付きアダプタ。
【請求項６】
前記筐体には、前記プラグを収納するための収納部が形成され、前記プラグは、前記筐体に所定の回動軸の周りに回動可能に支持されて取り付けられ、未使用時には前記収納部内に収納され、使用時には所定角度回転してその先端部が前記筐体から露出した状態とされることを特徴とする請求項１乃至５のいずれか１に記載のサービスコンセント付きアダプタ。
【請求項７】
複数の前記サービスコンセントを備えたことを特徴とする請求項１乃至６のいずれか１に記載のサービスコンセント付きアダプタ。
【発明の詳細な説明】
【０００１】
【発明の属する技術分野】
この発明は、例えば、携帯用のＡＣアダプタの背面側にサービスコンセントが設けられてなるサービスコンセント付きＡＣアダプタに関する。
【０００２】
【従来の技術】
従来より、商用交流電圧を直流電圧に変換して直流用負荷機器に供給するＡＣアダプタにおいて、筐体に直にＡＣプラグが取り付けられた携帯用のものが広く用いられている。
このＡＣアダプタを使用する際に、ＡＣプラグを、例えば、建物内の壁付きのコンセントやこのコンセントに接続されたテーブルタップのコンセントの栓刃差込口に差し込むと、ＡＣアダプタによって他の使用可能なコンセントの栓刃差込口まで塞いでしまって、コンセントの口数が不足してしまうという問題があった。
このため、例えば背面部にサービスコンセントを備えたＡＣアダプタが提案されている（例えば、特許文献１参照。）。
【０００３】
【特許文献１】
実開昭６２−１５０８８２号公報
【０００４】
【発明が解決しようとする課題】
しかしながら、上記従来技術では、不使用時でも筐体に形成された栓刃差込口が開放されているので、この栓刃差込口から塵埃等が侵入して、接触不良や短絡等の不具合の原因となってしまうという問題があった。
【０００５】
この発明は、上述の事情に鑑みてなされたもので、接触不良や短絡等の不具合の発生を回避することができるサービスコンセント付きＡＣアダプタを提供することを目的としている。
【０００６】
【課題を解決するための手段】
上記課題を解決するために、請求項１記載の発明は、商用交流供給用のメインコンセントに差し込まれ、商用交流の供給を受けるためのプラグと、商用交流電圧を所定のレベルの直流電圧に変換して出力するためのＡＣ−ＤＣ変換部と、上記プラグに電気的に接続され、外部電気機器に、上記メインコンセントを介して、上記商用交流を供給するためのサービスコンセントとを備えるアダプタに係り、上記プラグが、上記メインコンセントに差し込まれているときは、上記サービスコンセントのプラグ差込口を開状態に保つ一方、上記プラグが、上記メインコンセントから引き抜かれたときは、上記サービスコンセントのプラグ差込口を閉状態に切り替えるシャッタ機構を備えてなることを特徴としている。
【０００７】
また、請求項２記載の発明は、請求項１記載のサービスコンセント付きアダプタに係り、上記プラグ、上記ＡＣ−ＤＣ変換部及び上記サービスコンセントが格納され又は取り付けられた筐体を備え、上記プラグは、少なくとも使用時に、その先端部が露出するように上記筐体に直に取り付けられていることを特徴としている。
【０００８】
また、請求項３記載の発明は、請求項２記載のサービスコンセント付きアダプタに係り、上記プラグが上記メインコンセントに差し込まれたことを検出する差込検出手段と、上記差込検出手段によって上記プラグの上記メインコンセントへの差込みが検出されると、上記シャッタ機構を作動させて上記プラグ差込口を塞がせるシャッタ作動手段とを備えたことを特徴としている。
【０００９】
また、請求項４記載の発明は、請求項３記載のサービスコンセント付きアダプタに係り、上記差込検出手段は、上記プラグを構成する複数の栓刃のうちの少なくとも１つの栓刃に取り付けられ上記栓刃の長さ方向に沿って変位可能な可動リブを有し、かつ、上記シャッタ作動手段は、一端が上記可動リブに固定されていると共に、他端は上記シャッタ機構に接続され、上記メインコンセントの栓刃差込口に、上記可動リブが取り付けられた上記栓刃が挿入されると、上記可動リブが上記栓刃の挿入方向と逆向きに変位して、上記シャッタ作動手段を、上記シャッタ機構に上記サービスコンセントの上記栓刃差込口を塞がせるように変位させることを特徴としている。
【００１０】
また、請求項５記載の発明は、請求項３又は４記載のサービスコンセント付きアダプタに係り、上記シャッタ作動手段及び上記シャッタ機構は、一体的に成形された板状部材からなることを特徴としている。
【００１１】
また、請求項６記載の発明は、請求項１乃至５のいずれか１に記載のサービスコンセント付きアダプタに係り、上記筐体には、上記プラグを収納するための収納部が形成され、上記プラグは、上記筐体に所定の回動軸の周りに回動可能に支持されて取り付けられ、未使用時には上記収納部内に収納され、使用時には所定角度回転してその先端部が上記筐体から露出した状態とされることを特徴としている。
【００１２】
また、請求項７記載の発明は、請求項１乃至６のいずれか１に記載のサービスコンセント付きアダプタに係り、複数の上記サービスコンセントを備えたことを特徴としている。
【００１３】
【発明の実施の形態】
以下、図面を参照して、この発明の実施の形態について説明する。説明は、実施例を用いて具体的に行う。
◇第１実施例
図１は、この発明の第１実施例であるサービスコンセント付きＡＣアダプタの構成を示す斜視図、図２は、図１のＡ−Ａ線に沿った断面図、図３は、同サービスコンセント付きＡＣアダプタの構成を示すブロック図、図４は、同サービスコンセント付きＡＣアダプタの接続器具の構成を示す斜視図、また、図５乃至図９は、同サービスコンセント付きＡＣアダプタの動作を説明するための説明図である。
【００１４】
この例のサービスコンセント付きＡＣアダプタ（サービスコンセント付きアダプタ）１は、図１乃至図３に示すように、例えば合成樹脂製の筐体２と、共に筐体２に格納され又は取り付けられたアダプタ（ＡＣ−ＤＣ変換部）３と、サービスコンセント４ａと入力側プラグ（プラグ）４ｂとが一体化されてなる接続部４とを備えてなっている。
アダプタ３は、筐体２の正面側（図１において下面側）に形成されたキャビティ部（収納部）５の側壁面に所定の回動軸の周りに回動可能に取り付けられたＡＣプラグ部６の一対の導電金具７，８を介して例えばＡＣ１００Ｖの商用電源から得られた交流電圧を降圧する変圧部９と、整流回路部１１と、整流回路部１１によって得られた電圧を安定化させて所定の直流電圧を出力する安定化回路部１２とを有し、出力用プラグ１３を介して直流用負荷機器に接続される。
この例では、接続部４は、回動可能な接続器具６と、筐体２の背面側（図１において上面側）の所定の箇所に形成された交流用負荷機器のプラグを差し込むための略矩形状の栓刃差込孔（プラグ差込口）１４，１５とを有してなっている。
【００１５】
接続器具６は、図２及び図４に示すように、例えば合成樹脂製の略立方体形状のハウジング１６と、一対の導電金具７，８と、一方の導電金具７の先端側に取り付けられた可動リブ（差込検知手段）１７と、可動リブ１７を下方（導電金具７の先端側）へ向けて付勢する圧縮ばね１８と、一端が可動リブ１７に固定され、弾性及び可撓性を有する絶縁性部材からなり、ハウジング１６の内壁面に沿って摺動して、後述する栓刃差込孔２３，２４の開閉を行う長尺な薄板状のシャッタ部材（シャッタ手段、シャッタ作動手段）１９と、接続器具本体を回動軸の周りに回動させるための導電性部材からなる回動シャフト２１，２２とを有している。
ハウジング１６は、栓刃差込孔１４，１５と略同一の寸法及び形状を有する栓刃差込孔２３，２４と、それぞれ回動シャフト２１，２２が挿入されるシャフト挿入孔２５，２６と、シャッタ部材１９を案内する案内リブ２８ａ，２８ｂ，２８ｃ，２８ｄとを有している。
【００１６】
導電金具７（８）は、例えば、建物内に設けられた壁付きのコンセント（メインコンセント）や、このコンセントに接続されたテーブルタップのコンセント（メインコンセント）等に差し込まれ、先端部がハウジング１６から露出されたプラグ栓刃７ａ（８ａ）と、後端側に設けられ、プラグの栓刃が差し込まれてこの栓刃と電気的に接続される断面略Ｙ字状の栓刃受け部（インレットプラグ）７ｂ（８ｂ）とを有し、中央部で回動シャフト２１（２２）に固定されている。なお、プラグ栓刃７ａ（８ａ）と栓刃受け部７ｂ（８ｂ）とは、一体的に成形されている。
シャッタ部材１９は、栓刃差込孔１４，１５及び栓刃差込孔２３，２４と略同一の寸法及び形状を有する栓刃差込孔２７ａ，２７ｂと、回動シャフト２１との干渉を回避するための長孔２７ｃとを有している。
【００１７】
シャッタ部材１９の栓刃差込孔２７ａ，２７ｂは、可動リブ１７が、圧縮ばね１８によって先端側に押されたままの場合（すなわち、不使用時）には、それぞれ、栓刃差込孔２３、栓刃差込孔２４とは一部も重ならない位置に配置される。また、栓刃差込孔２７ａ，２７ｂは、例えば接続器具６が回動軸の周りに９０°回転して垂下状態とされ、例えばテーブルタップのコンセントに差し込まれ、圧縮ばね１８の付勢力に抗して図２中上方に変位した場合（すなわち、使用時）に、ハウジング１６の内壁面に沿って、案内リブ２７の案内によって、移動して、いずれも、それぞれ、栓刃差込孔１４，２３、栓刃差込孔１５，２４と、略完全に重なるように配置される。
【００１８】
また、回動シャフト２１（２２）の一端部には、導電金具７（８）が固定されているとともに、他端部は、キャビティ部５の側壁面３１ａ（３１ｂ）に回動可能な状態で嵌め込まれている。また、回動シャフト２１（２２）の中央部は、ハウジング１６に形成されたシャフト差込孔２５，２６を貫通しており、ハウジング１６に固定されている。
これによって、接続器具本体は、回動シャフト２１，２２の回動とともに、回動シャフト２１，２２に固定されたハウジング１６や導電金具７，８等が回動軸の周りに所定の角度範囲（例えば、０°から９０°）で回動可能とされ、接続器具６は、例えば、コンセント付きＡＣアダプタ１が使用されない場合は、一対の導電用金具７，８が伏臥状態となるようにキャビティ部５内に格納され、使用時には、図１に示すように、一対の導電用金具７，８が垂下状態とされて、プラグ栓刃７ａ，８ａが筐体２から露出されて使用可能状態とされる。
また、回動シャフト２１（２２）は、導電性部材からなり、アダプタ３への電流分岐経路を兼ねている。なお、ハウジング１６と側壁面３１ａ（３１ｂ）との間には、スペーサ３２ａ（３２ｂ）が介挿されている。
【００１９】
次に、図５乃至図９を参照してこの例のサービスコンセント付きＡＣアダプタ１の動作について説明する。
まず、アダプタ３及サービスコンセント４ａを使用しない場合には、図５に示すように、接続器具６はキャビティ部５内に収納される。この状態で、当該コンセント付きＡＣアダプタ１は、例えば使用者によって携行される。
接続器具６がキャビティ部５内に収納された状態（伏臥状態）では、可動リブ１７は、圧縮ばね１８によって先端側に押されて、シャッタ部材１９の栓刃差込孔２７ａ，２７ｂは、いずれも、ハウジング１６に形成された栓刃差込孔２３、栓刃差込孔２４とは一部も重ならない位置に配置され、ハウジング１６の栓刃差込孔２３，２４は、シャッタ部材１９によってを塞がれている（図４参照）。
【００２０】
次に、アダプタ３と接続部４とのうち少なくともいずれか一方を使用する場合には、図６に示すように、接続器具６を回動軸の周りに略９０°回転させて、垂下状態とする。
この状態では、まだ、可動リブ１７は変位していないので、ハウジング１６の栓刃差込孔２３，２４は、シャッタ部材１９によって塞がれている。
次に、図８に示すように、例えば、建物内に設けられた壁付きのコンセントに接続されたテーブルタップ３５のコンセント３６に、接続器具６を差し込むと、プラグ栓刃７ａ，８ａが、このコンセント３６の栓刃差込孔３６ａに差し込まれると、可動リブ１７の先端面がテーブルタップ３５の上面３５ａに当接して、図７に示すように、可動リブ１７は、圧縮ばね１８の付勢力に抗して図７中上方に変位する。
【００２１】
これによって、可動リブ１７の後端側に固定されたシャッタ部材１９は、ハウジング１６の内壁面に沿って、案内リブ２７ａ，２７ｂ，２７ｃ，２７ｄの案内によって、図７中矢印Ｘで示す方向に移動して、シャッタ部材１９の栓刃差込孔２７ａ，２７ｂは、いずれも、それぞれ、栓刃差込孔１４，２３、栓刃差込孔１５，２４と、略完全に重なった位置で停止し、筐体２に形成された栓刃差込孔１４，１５及びハウジング１６の栓刃差込孔２３，２４は開状態となり、サービスコンセント４ａは使用可能となる。
すなわち、このとき、導電金具７，８の後端部に形成された栓刃受け部７ｂ，８ｂまで、通電がなされている。
次に、例えば、アダプタ３に出力用プラグ１３を介して直流用負荷機器を接続すると共に、図９に示すように、サービスコンセント４ａに交流用負荷機器（外部電気機器）のプラグ３７を差し込んで、交流用負荷機器に電力を供給する。
【００２２】
例えばサービスコンセント４ａの使用を終了した場合には、サービスコンセント４ａから交流用負荷機器のプラグ３７を引き抜き、接続器具６を、テーブルタップ３５のコンセント３６から外す。
これによって、圧縮ばね１８の付勢力によって、可動リブ１７は復帰し、可動リブ１７の後端側に固定されたシャッタ部材１９は、ハウジング１６の内壁面に沿って、図７中矢印Ｘで示す向きと逆向きに移動して、シャッタ部材１９の栓刃差込孔２７ａ，２７ｂは、いずれも、栓刃差込孔１４，２３、栓刃差込孔１５，２４の形成位置からは完全に外れた位置で停止し、筐体２に形成された栓刃差込孔１４，１５及びハウジング１６の栓刃差込孔２３，２４は閉状態となり、サービスコンセント４ａは使用不能となる。
この後、接続器具６はキャビティ部５内に再び収納され、当該コンセント付きＡＣアダプタ１は、例えば使用者によって携行される。
【００２３】
この例の構成によれば、交流用負荷機器に電力を供給する場合には、サービスコンセントを使用することができるので、使用時に、接続器具を、例えば、建物内の壁付きのコンセントやこのコンセントに接続されたテーブルタップのコンセントの栓刃差込口に差し込んでも、アダプタによって他の使用可能なコンセントの栓刃差込口まで塞いでしまって、コンセントの口数が不足してしまうような不具合を回避することができる。
また、アダプタ及びサービスコンセントを使用しない場合には、筐体及びハウジングに形成された栓刃差込口は、その全部がシャッタ部材によって塞がれているので、塵埃等の侵入を防止することができる。したがって、接触不良や短絡等の不具合を回避することができる。
【００２４】
また、不使用時に栓刃差込孔から内部が視認されないので、美観上も好ましい。
また、接続器具を、例えば、建物内に設けられた壁付きのコンセントや、このコンセントに接続されたテーブルタップのコンセント等に差し込んだ状態ではじめて、サービスコンセントが使用可能となるので、サービスコンセントから確実に交流用負荷機器に電力を供給することができる。
また、不使用時には、接続器具を筐体に形成されたキャビティ部内に収納することができるので、コンパクト化することができ、容易に携行することができる。
【００２５】
◇第２実施例
図１０は、この発明の第２実施例であるサービスコンセント付きＡＣアダプタの構成を示す断面図である。
この例が上述した第１実施例と大きく異なるところは、両方のプラグ栓刃に可動リブを設け、シャッタ部材を２分割して配置するように構成した点である。
これ以外の構成は、上述した第１実施例の構成と略同一であるので、その説明を簡略にする。
【００２６】
この例のサービスコンセント付きＡＣアダプタ（サービスコンセント付きアダプタ）は、図１０に示すように、例えば合成樹脂製の筐体２と、共に筐体２に格納され又は取り付けられたアダプタ３と、サービスコンセント４ｃと入力側プラグ（プラグ）４ｄとが一体化されてなる接続部４Ａとを備えてなっている。
接続部４Ａは、回動可能な接続器具６Ａと、筐体２の背面側（図１０において上面側）の所定の箇所に形成された栓刃差込孔（プラグ差込口）１４，１５とを有してなっている。
接続器具６Ａは、同図に示すように、ハウジング１６と、一対の導電金具７，８と、導電金具７，８の先端側にそれぞれ取り付けられた可動リブ（接続検知手）１７，４１と、可動リブ１７，４１をそれぞれ下方（導電金具７，８の先端側）へ向けて付勢する圧縮ばね１８，４２と、それぞれ、一端が可動リブ１７，４１に固定され、弾性及び可撓性を有する絶縁性部材からなり、ハウジング１６の内壁面に沿って摺動して、後述する栓刃差込孔２３，２４の開閉を行う長尺な薄板状のシャッタ部材（シャッタ手段、シャッタ作動手段）４３，４４と、接続器具本体を回動軸の周りに回動させるための導電性部材からなる回動シャフト２１，２２とを有している。
【００２７】
ハウジング１６は、栓刃差込孔１４，１５と略同一の寸法及び形状を有する栓刃差込孔２３，２４と、それぞれ回動シャフト２１，２２が挿入されるシャフト挿入孔２５，２６と、シャッタ部材４３を案内する案内リブ４５ａ，４５ｂと、シャッタ部材４４を案内する案内リブ４６ａ，４６ｂとを有している。
シャッタ部材４３は、栓刃差込孔１４及び栓刃差込孔２３と略同一の寸法及び形状を有する栓刃差込孔４７ａと、回動シャフト２１との干渉を回避するための長孔４７ｂとを有している。
同様に、シャッタ部材４４は、栓刃差込孔１５及び栓刃差込孔２４と略同一の寸法及び形状を有する栓刃差込孔４８ａと、回動シャフト２２との干渉を回避するための長孔４８ｂとを有している。
【００２８】
シャッタ部材４３の栓刃差込孔４７ａは、可動リブ１７が、圧縮ばね１８によって先端側に押されたままの場合（すなわち、不使用時）には、それぞれ、栓刃差込孔２３とは一部も重ならない位置に配置される。
また、栓刃差込孔４７ａは、例えば接続器具６Ａが回動軸の周りに９０°回転して垂下状態とされ、例えばテーブルタップのコンセントに差し込まれ、圧縮ばね１８の付勢力に抗して図１０中上方に変位した場合（すなわち、使用時）に、ハウジング１６の内壁面に沿って、案内リブ４５ａ，４５ｂの案内によって、移動して、いずれも、それぞれ、栓刃差込孔１４、栓刃差込孔２３と、略完全に重なるように配置される。
【００２９】
同様に、シャッタ部材４４の栓刃差込孔４８ａは、可動リブ４１が、圧縮ばね４２によって先端側に押されたままの場合（すなわち、不使用時）には、それぞれ、栓刃差込孔２４とは一部も重ならない位置に配置される。
また、栓刃差込孔４８ａは、例えば接続器具６Ａが回動軸の周りに９０°回転して垂下状態とされ、例えばテーブルタップのコンセントに差し込まれ、圧縮ばね４２の付勢力に抗して図１０中上方に変位した場合（すなわち、使用時）に、ハウジング１６の内壁面に沿って、案内リブ４６ａ，４６ｂの案内によって、移動して、いずれも、それぞれ、栓刃差込孔１５、栓刃差込孔２４と、略完全に重なるように配置される。
【００３０】
この例の構成によれば、上述した第１実施例と略同様の効果を得ることができる。
【００３１】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、サービスコンセントの栓刃差込孔が１組の場合について述べたが、複数組であっても良い。２つの栓刃受け部に対応させて、それぞれ栓刃差込孔を設ける場合について述べたが、筐体及びハウジングに設ける栓刃差込孔を１つとし、これに合わせて、シャッタ部材に設ける栓刃差込孔も１つとして、加工を容易とするようにしても良い。
また、入力側プラグは、接地極付きであっても良い。この場合、この接地極に可動リブを取り付けるようにしても良いし、サービスコンセントもこれに対応したものとしても良い。また、単相用に限らず三相用であっても良い。
【００３２】
また、栓刃差込孔を、筐体の背面部に限らず側面部に設けるようにしても良い。
また、接続器具の回動角度範囲は、０°から９０°に限らず、０°から１８０°としても良い。
また、接続器具を垂下状態としたときに、シャッタ部材を作動させて、栓刃差込孔を開状態として、サービスコンセントを使用可能とするようにしても良い。
また、アダプタとしては、例えば電池を充電させる充電機能を有するものでも良い。
【００３３】
【発明の効果】
以上説明したように、この発明の構成によれば、交流用の外部電気機器に電力を供給する場合には、サービスコンセントを使用することができるので、当該サービスコンセント付きアダプタを使用しているときに、例えばメインコンセントの口数が不足してしまうような不具合を回避することができるとともに、プラグがメインコンセントから引き抜かれた状態のときは、シャッタ機構がサービスコンセントの栓刃差込口を塞ぐように構成されているので、塵埃等の侵入を防止し、接触不良や短絡等の不具合を回避することができる。
また、不使用時に栓刃差込孔から内部が視認されないので、美観上も好ましい。
また、プラグを、例えば、建物内に設けられた壁付きのコンセントや、このコンセントに接続されたテーブルタップのコンセント等に差し込んだ状態ではじめて、サービスコンセントの栓刃差込孔を開状態とすることによって、サービスコンセントから確実に交流用負荷機器に電力を供給することができる。
また、不使用時には、プラグを筐体の収納部内に収納することによって、コンパクト化を図ることができ、容易に携行することができる。
【図面の簡単な説明】
【図１】この発明の第１実施例であるサービスコンセント付きＡＣアダプタの構成を示す斜視図である。
【図２】図１のＡ−Ａ線に沿った断面図である。
【図３】同サービスコンセント付きＡＣアダプタの構成を示すブロック図である。
【図４】同サービスコンセント付きＡＣアダプタの接続器具の構成を示す斜視図である。
【図５】同サービスコンセント付きＡＣアダプタの動作を説明するための説明図である。
【図６】同サービスコンセント付きＡＣアダプタの動作を説明するための説明図である。
【図７】同サービスコンセント付きＡＣアダプタの動作を説明するための説明図である。
【図８】同サービスコンセント付きＡＣアダプタの動作を説明するための説明図である。
【図９】同サービスコンセント付きＡＣアダプタの動作を説明するための説明図である。
【図１０】この発明の第２実施例であるサービスコンセント付きＡＣアダプタの構成を示す断面図である。
【符号の説明】
１      サービスコンセント付きＡＣアダプタ（サービスコンセント付きアダプタ）
３      アダプタ（ＡＣ−ＤＣ変換部）
４，４Ａ      接続部
４ａ，４ｃ      サービスコンセント
４ｂ，４ｄ      入力側プラグ（プラグ）
５      キャビティ部（収納部）
６，６Ａ      接続器具
７，８      導電金具
７ａ，８ａ      プラグ栓刃
７ｂ，８ｂ      栓刃受け部
１４，１５      栓刃差込孔（プラグ差込口）
１７，４１      可動リブ（差込検知手段）
１９，４３，４４      シャッタ部材（シャッタ手段、シャッタ作動手段）
３６ａ      栓刃差込孔
【図１】
2005011550.tif 000003
【図２】
2005011550.tif 000004
【図３】
2005011550.tif 000005
【図４】
2005011550.tif 000006
【図５】
2005011550.tif 000007
【図６】
2005011550.tif 000008
【図７】
2005011550.tif 000009
【図８】
2005011550.tif 000010
【図９】
2005011550.tif 000011
【図１０】
2005011550.tif 000012